(57)【特許請求の範囲】
【請求項１】
透明基板上に、少なくとも陽極、発光層、陰極を順次積層したエレクトロルミネッセンス素子であって、
前記発光層が、発光材料中に配向性分子を含有しており、前記発光層表面に前記配向分子起因の凹凸形状を具備しており、
前記配向性分子の含有率が発光材料に対して５〜１０％であり、
前記発光材料がペリレン系蛍光体であり、前記配向性分子がチアジアゾール誘導体であり、
前記配向性分子が液晶性を有し、液晶状態のまま前記発光層中に含有されており、
前記発光層表面の凹凸形状のＲｚが、３３．４ｎｍ以上６６．０ｎｍ以下の範囲内である
ことを特徴とする有機エレクトロルミネッセンス素子。
【請求項２】
前記配向性分子が２,５−ビス（４−ヒドロキシフェニル）−１,３,４−チアジアゾールであることを特徴とする請求項１に記載の有機エレクトロルミネッセンス素子。
【請求項３】
前記発光材料がペリレンであることを特徴とする請求項１または請求項２に記載の有機エレクトロルミネッセンス素子。
【請求項４】
前記陰極が、前記発光層表面に形成された微細な凹凸形状に追随した形状で成膜されている
ことを特徴とする請求項１乃至３のいずれか１項に記載のエレクトロルミネッセンス素子。
【発明の詳細な説明】
【技術分野】
【０００１】
本発明は、電界の印加により発光を生じる有機エレクトロルミネッセンス素子に関し、特に、発光の高効率化を目的とした有機エレクトロルミネッセンス素子に関するものである。
【背景技術】
【０００２】
有機エレクトロルミネッセンス素子（以下、有機ＥＬ素子）及び薄膜太陽電池のような光電子デバイスの機能においては、光管理が非常に重要な項目であり、デバイスの効率に大きな影響を与える。
【０００３】
有機ＥＬ素子では、放射された光の約８０％が種々の界面（例：基板-周囲媒体界面、層界面、陰極層界面など）で失われる。有機ＥＬ素子の基板の層内にトラップされた光は、一般に、光トラッピングの導波モードとして知られている。
【０００４】
同様に、陰極層の表面にトラップされる光は、一般に、表面プラズモンとして知られている。有機ＥＬ素子の効率を向上させるために、これらのモードによってトラップされた光を取り出す必要がある。
【０００５】
例えば、光路を変化させて導波モードでの取り出しを可能にするために、内部又は外部光取り出し構造が使用可能である。一例として、ガラス基板と陽極間に光拡散構造を導入した例では、前述の約８０％の失われた光の１０数％を回収するに止まるとされている。
【０００６】
表面プラズモンについては、前述の約８０％のうち約５０％に相当するとされ、この光取り出し損失分の回収は大幅な効率向上へと繋がるが、この約５０％を回収する理論や手法について様々な文献にて散見されるが実用的な構造及び手法については疑問が残る。
【０００７】
特許文献１において、表面プラズモン低減による発光の増強が確認されているが、その効果をもたらす構造へと加工するプロセスが煩雑であり、量産に適していない。
【０００８】
また、特許文献２の有機ＥＬ素子では、配置された微粒子表面において印加時にショートする懸念がある。
【先行技術文献】
【特許文献】
【０００９】
【特許文献１】特許第５２８３２０６号公報
【特許文献２】特許第５３１２１４６号公報
【発明の概要】
【発明が解決しようとする課題】
【００１０】
本発明は、上記事情に鑑みてなされたものであって、生産プロセスの適用可能な簡便な方法で、積層された微粒子表面での絶縁不良等の品質事故の懸念の無い安定した生産が可能で高発光効率を実現できる有機エレクトロルミネッセンス素子を提供することを目的とする。
【課題を解決するための手段】
【００１１】
上記の課題を解決するための手段として、請求項１に記載の発明は、透明基板上に、少なくとも陽極、発光層、陰極を順次積層したエレクトロルミネッセンス素子であって、
前記発光層が、発光材料中に配向性分子を含有しており、前記発光層表面に前記配向分子起因の凹凸形状を具備しており、前記配向性分子の含有率が発光材料に対して５〜１０％であり、前記発光材料がペリレン系蛍光体であり、前記配向性分子がチアジアゾール誘導体であり、前記配向性分子が液晶性を有し、液晶状態のまま前記発光層中に含有されており、前記発光層表面の凹凸形状のＲｚが、３３．４ｎｍ以上６６．０ｎｍ以下の範囲内であることを特徴とする有機エレクトロルミネッセンス素子である。
【００１２】
また、請求項２に記載の発明は前記配向性分子が２,５−ビス（４−ヒドロキシフェニル）−１,３,４−チアジアゾールであることを特徴とする請求項１に記載の有機エレクトロルミネッセンス素子である。
【００１３】
また、請求項３に記載の発明は、前記発光材料がペリレンであることを特徴とする請求項１または請求項２に記載の有機エレクトロルミネッセンス素子である。
【００１４】
また、請求項４に記載の発明は、前記陰極が、前記発光層表面に形成された微細な凹凸形状に追随した形状で成膜されていることを特徴とする請求項１乃至３のいずれか１項に記載のエレクトロルミネッセンス素子である。
【発明の効果】
【００１５】
本発明の有機ＥＬ素子は、発光領域の内部および表面に配向性分子を備えることにより、配向状態からなる微細な凹凸形状を形成でき、容易に、表面プラズモンを低減できるため、従来の様な煩雑なプロセスを必要とせず、生産プロセスが簡便で、絶縁不良等の品質事故の懸念が無く、安定して高発光が得られる有機エレクトロルミネッセンス素子を提供することができる。
【図面の簡単な説明】
【００１６】
【図１】本発明の有機ＥＬ素子の層構成を示した断面概念図である。
【図２】本発明の有機ＥＬ素子における発光層（発光領域）を詳細に説明した断面概念図である。
【発明を実施するための形態】
【００１７】
以下本発明を実施するための形態を、図面を用いて詳細に説明する。図１に本発明の有機ＥＬ素子の構成を説明した断面図であり、有機ＥＬ素子１は、透光性基板１０上に、陽極１１、発光層（発光領域）２、陰極１４を備えた有機ＥＬ素子であり、発光層（発光領域）２は、発光材料１２と配向性分子１３から成っている。
【００１８】
図２は、本発明の有機ＥＬ素子における発光層（発光領域）２を示しており、表面プラズモンを低減すべく、発光材料２中に均一分散されており、発光層の表面には、配向性分子１３起因の、微細な凹凸形状３を形成している。尚、正孔注入層、正孔輸送層、インターレイヤー層、発光層、電子輸送層、電子注入層は必要に応じて適宜選択される。
【００１９】
透光性基板１０としては特に制限なく、ガラス、石英、ポリマー等の可撓性基板を用いることができる。
【００２０】
発光材料１２は、有機ＥＬ素子の発光層２として適用可能なものであれば特に制限ない。有機ＥＬ素子１は、陽極１１、陰極１４から注入された正孔、電子がこの領域で再結合することにより、発光する。
【００２１】
配向性分子１３は、表面プラズモンを低減すべく、発光材料１２中に均一に分散されており、発光層（発光領域）１２を形成している。
【００２２】
配向性分子１３は、表面プラズモンを低減すべく領域に配置されていれば、その配置される場所は内部であっても表面であっても特に制限されない。発光材料１２に含有させる配向性分子１３は含有率が多すぎると、分子内における濃度消光により発光効率が低下することになり、効果的な発光増強効果を得ることができないため、発光材料１２に対する配向性分子１３の含有率は５〜１０％以内であることが望ましい。
【００２３】
また、配向性分子１３を含有する発光材料１２は成膜により、発光層２を形成し、加熱処理により配向性分子１３が発光層２の内部または表面にて液晶状態、いわゆる配向した状態となり配向性分子１３は発光層２表面に微細な凹凸形状をもたらす。
【００２４】
結果として、発光層２表面に形成された微細な凹凸形状に、追随した形状で陰極１４が成膜され、発光層２と陰極１４の間で発生する表面プラズモンは低減されることになり、発光効率が向上することとなる。
【００２５】
以下に、本実施形態の有機ＥＬ素子１の製造方法を説明する。
【００２６】
＜陽極１１＞
透明基板１０としてガラスを用い、表面に蒸着により、ＩＴＯ（インジウムスズ複合酸化物）、ＩＺＯ（インジウム亜鉛複合酸化物）、酸化錫、酸化亜鉛、酸化インジウム、亜鉛アルミニウム複合酸化物等の金属複合酸化物や金、白金、クロムといった材料からなる陽極１１を形成する。厚み１００ｎｍとしたが、あくまでも一例でありこの値に限定しない。
【００２７】
＜発光材料２＞
次いで、発光層２の形成する有機発光材料２としては、９，１０−ジアリールアントラセン誘導体、ピレン、コロネン、ペリレン、ルブレン、１，１，４，４−テトラフェニルブタジエン、トリス（８−キノラート）アルミニウム錯体、トリス（４−メチル−８−キノラート）アルミニウム錯体、ビス（８−キノラート） 亜鉛錯体、トリス（４−メチル−５−トリフルオロメチル−８−キノラート） アルミニウム錯体、トリス（４−メチル−５−シアノ−８−キノラート）アルミニウム錯体、ビス（２−メチル−５−トリフルオロメチル−８−キノリノラート）［４−（４−シアノフェニル）フェノラート］アルミニウム錯体、ビス（２−メチル−５−シアノ−８−キノリノラート）［４−（４−シアノフェニル）フェノラート］アルミニウム錯体、トリス（８−キノリノラート）スカンジウム錯体、ビス［８−（パラートシル）アミノキノリン］亜鉛錯体及びカドミウム錯体、１，２，３，４−テトラフェニルシクロペンタジエン、２，５−ジヘプチルオキシ−パラ−フェニレンビニレンなどの低分子系発光材料が使用できる。
【００２８】
また、クマリン系蛍光体、ペリレン系蛍光体、ピラン系蛍光体、アンスロン系蛍光体、ポリフィリン系蛍光体、キナクリドン系蛍光体、Ｎ，Ｎ’−ジアルキル置換キナクリドン系蛍光体、ナフタルイミド系蛍光体、Ｎ，Ｎ’−ジアリール置換ピロロピロール系蛍光対等、Ｉｒ錯体等の燐光性発光体などの低分子系発光材料を、高分子中に分散させたものが使用できる。高分子としてはポリスチレン、ポリメチルメタクリレート、ポリビニルカルバゾール等が使用できる。
【００２９】
また、ポリ（２−デシルオキシ−１，４−フェニレン）（ＤＯ−ＰＰＰ）、ポリ［２，５−ビス−［２−（Ｎ，Ｎ，Ｎ−トリエチルアンモニウム）エトキシ］−１，４−フェニル−アルト−１，４−フェニルレン］ジブロマイド（ＰＰＰ−ＮＥｔ３）ポリ［２−（２’−エチルヘキシルオキシ）−５−メトキシ−１，４−フェニレンビニレン］（ＭＥＨ−ＰＰＶ）、ポリ［５−メトキシ−（２−プロパノキシサルフォニド）−１，４−フェニレンビニレン］（ＭＰＳ−ＰＰＶ）、ポリ［２，５−ビス−（ヘキシルオキシ）−１，４−フェニレン−（１−シアノビニレン）］（ＣＮ−ＰＰＶ）、ポリ（９，９−ジオクチルフルオレン）（ＰＤＡＦ） などの高分子発光材料であってもよい。ＰＰＶ前駆体、ＰＮＶ前駆体、ＰＰＰ前駆体などの高分子前駆体が挙げられる。また、これら高分子材料に前記低分子発光材料の分散又は共重合した材料や、その他既存の発光材料を用いることもできる。
【００３０】
＜溶媒＞
有機発光材料２を溶解する溶媒としては、トルエン、キシレン、アセトン、ヘキサン、メチルエチルケトン、メチルイソブチルケトン、シクロヘキサノン、メタノール、エタノール、イソプロピルアルコール、酢酸エチル、酢酸ブチル、２−メチル−（ｔ−ブチル）ベンゼン、１，２，３，４−テトラメチルベンゼン、ペンチルベンゼン、１，３，５−トリエチルベンゼン、シクロヘキシルベンゼン、１，３，５−トリ−イソプロピルベンゼン等を単独又は混合して用いることができる。
【００３１】
＜添加剤＞
また、有機発光材料を溶解した溶媒、即ち有機発光インキには、必要に応じて、界面活性剤、酸化防止剤、粘度調整剤、紫外線吸収剤等が添加されてもよい。
【００３２】
＜配向性分子１３＞
この時、有機発光材料に対し、配向性分子１３を５〜１０％混合させることで有機発光インキとする。ここで用いられる配向性分子１３のとしては、フルオレン誘導体、オキサジアゾール誘導体、ベンゾオキサゾール誘導体、オキサゾール誘導体、オキサジアゾール誘導体、チオフェン誘導体、チアジアゾール誘導体、トリアゾール誘導体、ベンゾトリアゾール誘導体といった分子が選択される。
【００３３】
＜湿式成膜法＞
調液された有機発光インキは、湿式成膜法により発光層２として形成される。湿式成膜法としては、スピンコート法、ダイコート法、ディップコート法、吐出コート法、プレコート法、ロールコート法、バーコート法等の塗布法と、凸版印刷法、インクジェット印刷法、オフセット印刷法、グラビア印刷法等の印刷法が挙げられる。
【００３４】
発光層２を形成する際には溶媒を除去する必要があり、加熱乾燥を行う。この際の温度としては、用いた溶媒の沸点以上、かつ配向性分子１３の液晶相転移温度以上である必要がある。
【００３５】
＜陰極１４＞
陰極１４の材料としては電子注入効率の高い物質を用いる。具体的にはＭｇ、Ａｌ、Ｙｂ等の金属単体を用いる他、発光媒体と接する界面にＬｉや酸化Ｌｉ、ＬｉＦ等の化合物を１ｎｍ程度挟んで、安定性・導電性の高いＡｌやＣｕを積層して用いる。または電子注入効率と安定性を両立させるため、低仕事関数なＬｉ、Ｍｇ、Ｃａ、Ｓｒ、Ｌａ、Ｃｅ、Ｅｒ、Ｅｕ、Ｓｃ、Ｙ、Ｙｂ等の金属１種以上と、安定なＡｇ、Ａｌ、Ｃｕ等の金属元素との合金系が用いられる。具体的にはＭｇＡｇ，ＡｌＬｉ，ＣｕＬｉ等の合金が使用できる。
【００３６】
陰極１４の形成方法は、材料に応じて、抵抗加熱蒸着法、電子ビーム蒸着法、反応性蒸着法、イオンプレーティング法、スパッタリング法等の乾式成膜法を用いることができる。厚さは１０ｎｍ〜１μｍ程度が望ましい。
【００３７】
この有機ＥＬ素子は両電極間に発光材料１２が挟みこまれた部位に対し電流を流すことで発光させることとなるが、発光層２や電極の一部は大気中の水分や酸素によって容易に
劣化してしまうため通常は外部と遮断するための封止体を設ける必要がある。
【００３８】
＜封止体＞
封止体は、例えば陽極１１、発光層１２、陰極１４が形成された基板に対して、無アルカリガラス、アルカリガラス等のガラスの封止材１５を用い、封止材１５と有機ＥＬ素子を、水分や酸素を排除し窒素やアルゴンといった不活性ガス環境となるグローブボックス内にて貼り合わせることにより形成される。
【００３９】
このとき貼り合せの際には接着部位に対し、接着剤１６を介して貼り合せが行われ、この接着剤１６ディスペンサーにより一般に５〜１０μｍの厚みで塗布される。
【００４０】
＜接着剤１６＞
また、ここで用いた接着剤１６の種類としては多くエポキシ樹脂が用いられ具体的にはビスフェノール化合物とエピクロルヒドリンからなるプレポリマーといったエポキシ樹脂、その他にもアクリル酸エステルやメタクリル酸エステル、エチレンエチルアクリレートポリマー等といったアクリル樹脂やシリコーン樹脂などからなる光硬化型接着性樹脂並びに熱硬化型接着性樹脂や、ポリエチレン、ポリプロピレンなどの酸変性物からなる熱可塑性接着性樹脂などを使用することができる。
【００４１】
また、ここで接着剤１６を凝固させる手段としては、エポキシ樹脂プレポリマーの(接着剤１６)塗布部位以外にマスクを施し紫外光３６５ｎｍをマスク非被覆部に１分から２分程度照射し、接着剤１６を重合させることで封止体を完成させることが出来る。
【００４２】
ここでは一例として光硬化型接着性樹脂を用いた封止手順を記載したが本特許はこれに限るものではない。
【００４３】
以上により、封止材１５よって接着剤１６を介して封止をおこない、水分や酸素による発光層１２や陰極１４の劣化を防止し、有機ＥＬ素子１となる。
【実施例１】
【００４４】
ガラス基板１０上に蒸着により、ＩＴＯからなる陽極１１を形成した。次いで、発光材料であるペリレンに対し配向性分子である２,５−ビス（４−ヒドロキシフェニル）−１,３,４−チアジアゾールを５％混合したものをメチルエチルケトンにて溶解させ有機発光インキとし、スピンコート法により陽極１１上に塗布し、溶媒を除去させることおよび配向性分子を液晶状態へと配向させる目的で１００℃で１０分間ホットプレート上にて乾燥を行った。
【００４５】
続いて、原子間力顕微鏡(ＡＦＭ)により有機層表面を観察したところ、微細な凹凸形状が観察された。また、この凹凸形状をＸ線回折(ＸＲＤ)により観察したところ、配向性分子の分子長相当の配列パターンが確認できたことから、配向性分子が配向していることが確認できた。
【００４６】
次に、陰極１４として真空蒸着法でＡｌを２００ｎｍ成膜した。その後、大気暴露することなく露点−８０度、酸素濃度１ｐｐｍの窒素下で、いわゆる不活性ガス環境下で光硬化型接着剤１６をディスペンサーにて１０μｍの厚さで塗布し無アルカリガラス製の封止材１５を張り付け、塗布部に３６５ｎｍの紫外光を１分間接着部位に照射することによって封止を行い、実施例１の有機ＥＬ素子を得た。
【実施例２】
【００４７】
実施例１にて添加した２,５−ビス（４−ヒドロキシフェニル）−１,３,４−チアジアゾールの添加量を１０％にした以外は、同一条件で実施例２の有機ＥＬ素子を得た。
【００４８】
＜比較例１＞
実施例１にて添加した２,５−ビス（４−ヒドロキシフェニル）−１,３,４−チアジア
ゾールを添加しなかった以外は、同一条件で比較例１の有機ＥＬ素子を得た。
【００４９】
＜比較例２＞
実施例１にて添加した２,５−ビス（４−ヒドロキシフェニル）−１,３,４−チアジアゾールの添加量を４％にした以外は、同一条件で比較例２の有機ＥＬ素子を得た。
【００５０】
＜比較例３＞
実施例１にて添加した２,５−ビス（４−ヒドロキシフェニル）−１,３,４−チアジアゾールの添加量を１１％にした以外は、同一条件で比較例３の有機ＥＬ素子を得た。
【００５１】
＜発光特性評価＞
発光特性は、全光束、発光効率にて評価した。全光束はＬａｂｓｐｈｅｒｅ製ＣＳＬＭＳ
ＬＥＤ−４０６１を用い全光束スペクトルを測定し、発光効率は０.０９５Ａの電流にて測定時の電圧、及び全光束から算出した。
【００５２】
評価結果を表１に示す。
【００５３】
【表１】
0006601008.tif 000002
得られた実施例１、２、比較例１、２、３の有機ＥＬ素子の光学特性を調べたところ、配向性分子の含有率が、５％、１０％の実施例１、２の全光束は約３３ルーメン、発光効率は約４２ｌｍ/Ｗであったが、配向性分子を加えていない比較例１の有機ＥＬ素子の全光束は約１８ルーメン、発光効率は約２３ｌｍ/Ｗであり、また、配向性分子の含有率が、４％、１１％の比較例２、３の有機ＥＬ素子の全光束は約１６ルーメン、発光効率は約２０ｌｍ/Ｗ、全光束は約９ルーメン、発光効率は約１２ｌｍ/Ｗとなり、配向性分子を加えてもその効果は、実施例１、２と比較して低いものであり、本発明の有機ＥＬ素子は高効率であることが確認できた。
【００５４】
本発明の有機ＥＬ素子は、照明光源としてのみならず、ディスプレイ、バックライト、各種光源等に好適に利用することができることが分かった。
【符号の説明】
【００５５】
１・・・有機エレクトロルミネッセンス素子（有機ＥＬ素子）
２・・・発光層（発光領域）
３・・・凹凸形状
１０・・・ガラス基板
１１・・・陽極
１２・・・発光材料
１３・・・配向性分子
１４・・・陰極
１５・・・封止材
１６・・・接着剤
【図１】
0006601008.tif 000003
【図２】
0006601008.tif 000004